(57)【特許請求の範囲】
【請求項１】
グラフィック加速システムが、
ディスプレイカード上に装着して、前記ディスプレイカードがマザーボードから供給される出入力電圧により、グラフィックインターフェイス参考電圧を提供するグラフィックチップ、前記ディスプレイカードに接続して、前記グラフィックインターフェイス参考電圧を伝送するグラフィック加速ポート、
そしてグラフィック加速ポートに接続して、並びに前記グラフィック加速システムを制御する、唯一のグラフィックインターフェイス参考電圧ピンを有するチップセット、
を含み、
そのうち前記チップセットが、
前記出入力供給電圧と判定モード参考電圧によりモード信号を発生し、前記モード信号が前記出入力供給電圧が判定モード参考電圧より大きいならハイ(high)であり、判定モード参考電圧より低いならロウ(low)である比較回路、
前記比較回路と前記唯一のグラフィックインターフェイス参考電圧ピンに接続して、前記モード信号がハイであるならば、前記出入力供給電圧を起源とする精確電圧を選択し、前記モード信号がロウであるならば、前記グラフィックインターフェイス参考電圧を選択し、内部参考電圧を出力するマルチプレクサ、
および前記マルチプレクサに接続して、前記内部参考電圧で前記グラフィック加速ポートのインターフェイス信号の入力感知電圧レベルを判断するコア回路、
を含む、
ことを特徴とするグラフィック加速システム。
【請求項２】
唯一のグラフィックインターフェイス参考電圧ピンを有するチップセットを、上記グラフィック加速ポートのシングルエッジ・クロック、ダブルエッジ・クロック、四倍エッジ・クロックの動作モードで使い、そのうち前記モード信号がハイだと、前記グラフィック加速ポートがシングルエッジ・クロック或いはダブルエッジ・クロックの動作モードで行い、前記モード信号がロウだと、前記グラフィック加速ポートが四倍エッジ・クロックの動作モードで行うことを特徴とする請求項１記載のグラフィック加速システム。
【請求項３】
モード信号とグラフィックインターフェイス参考電圧の提供に用いるグラフィック加速ポートにおいて、出入力供給電圧が判定モード参考電圧より高い場合には、前記モード信号はハイであり、前記出入力供給電圧が前記判定モード参考電圧より低い場合には、前記モード信号はロウであり、
前記グラフィック加速ポートに接続して、前記モード信号により、出入力供給電圧を起源とする精確電圧と前記グラフィックインターフェイス参考電圧の二つから一つを選んで、前記モード信号がハイであるならば、前記出入力供給電圧を起源とする精確電圧を選択し、前記モード信号がロウであるならば、前記グラフィックインターフェイス参考電圧を選択し、内部参考電圧を出力するマルチプレクサ、
そして、
唯一のグラフィックインターフェイス参考電圧ピンを前記マルチプレクサに接続して、前記内部参考電圧で前記グラフィック加速ポートのインターフェイス信号の入力感知電圧レベルを判断して、前記グラフィック加速ポートを制御する唯一のグラフィックインターフェイス参考電圧ピンを有するチップセット、
を含むことを特徴とするマザーボードのシステム。
【請求項４】
上記唯一のグラフィックインターフェイス参考電圧ピンを有するチップセットを、上記グラフィック加速ポートのシングルエッジ・クロック、ダブルエッジ・クロック、四倍エッジ・クロックの動作モードで使うことができ、そのうち前記モード信号がハイだと、前記グラフィック加速ポートがシングルエッジ・クロック或いはダブルエッジ・クロックの動作モードで行い、前記モード信号がロウだと、前記グラフィック加速ポートが四倍エッジ・クロックの動作モードで行うことを特徴とする請求項３記載のマザーボードのシステム。
【請求項５】
グラフィック加速システムをマザーボード上に用いて、
グラフィックチップ、グラフィック加速ポート、マルチプレクサ、および唯一のグラフィックインターフェイス参考電圧ピンを有するチップセットを含み、
上記グラフィック加速システムの制御方法が、
前記マザーボードから出入力供給電圧を前記グラフィックチップへ提供して、前記出入力供給電圧により前記グラフィックカードがグラフィックインターフェイス参考電圧を発生させて前記グラフィック加速ポートへ送り、
前記グラフィック加速ポートにより前記グラフィックインターフェイス参考電圧とモード信号を前記マルチプレクサへ伝送して、そのうち出入力供給電圧が判定モード参考電圧より高い場合には、前記モード信号はハイであり、前記出入力供給電圧が前記判定モード参考電圧より低い場合には、前記モード信号はロウであり、前記マザーボードが前記出入力供給電圧を前記マルチプレクサへ提供して、上記モード信号により前記マルチプレクサは、前記モード信号がハイであるならば、前記出入力供給電圧を起源とする精確電圧とすることを選択し、前記モード信号がロウであるならば、前記グラフィックインターフェイス参考電圧を選択し、前記出入力供給電圧と前記グラフィックインターフェイス参考電圧の二つから一つを選んだものを内部参考電圧として、前記唯一のグラフィックインターフェイス参考電圧ピンを有するチップセットへ送り、前記唯一のグラフィックインターフェイス参考電圧ピンを有するチップセットが前記内部参考電圧を使用して、前記グラフィック加速ポートのインターフェイス信号の入力感知電圧レベルを判断できるようにすることを含む、
ことを特徴とするグラフィック加速システムの制御方法。
【発明の詳細な説明】
【０００１】
【発明の属する技術分野】
この発明は、グラフィックシステムを制御できるチップセット（chip set）に関して、特にＡＧＰ（accelerated graphic port＝ＡＧＰ）を制御利用することができるグラフィック加速システムの唯一のグラフィックインターフェイス参考電圧ピンを具備するチップセットに関する。
【０００２】
【従来の技術】
３Ｄグラフィック（3D-graphic）の使用は段々一般的になってきたが、但し３Ｄグラフィック技術が使用するデータ量は膨大なため、たびたび全体の作業システムの速度を低下させた。従来の処理方式が全体システムの出力／入力の詰まりを起こす問題を解決するために、新しいチャンネルを使用して、直接にグラフィックチップ（graphic chip）とマザーボード上のチップセットを接続、つまりグラフィック加速ポートをもって解決方法とした。従来のグラフィック加速ポートはシングルエッジ・クロック・モード（１Ｘmode）、ダブルエッジ・クロック・モード（２Ｘmode）、および四倍エッジ・クロック・モード（４Ｘmode）など数種類の動作モードでグラフィックチップとグラフィック加速システムのチップセット間のデータ伝達を制御した。
【０００３】
図１に示すのは、グラフィック加速ポートのシングルエッジ・クロック・モード或いはダブルエッジ・クロック・モードで、グラフィック加速システムの参考電圧の回路図である。そのうちマザーボードの出入力供給電圧（Vddq）は約３．３ボルトで、チップセット１０をマザーボードに接続して、出入力供給電圧の分圧で、１．３２ボルトを内部参考電圧にした。
【０００４】
図２は、グラフィック加速ポートが四倍エッジ・クロック以上のモード動作時、グラフィック加速システムの参考電圧の回路図である。四倍エッジ・クロックの動作モードの速度は比較的速いため、チップセット使用の内部参考電圧が小さくなり、反応時間が速くなる。グラフィック加速部が四倍エッジ・クロック・モード時、常に０．７５ボルトを使用して内部参考電圧にする。しかし、内部参考電圧が比較的小さいため、マザーボードが提供の出入力供給電圧が不安定になると、チップセット内部は正確な入力感知電圧レベル（input detecting potential level）に依って、正確な答えを得ることができなかった。この問題を解決するために、四倍エッジ・クロックのモード動作時、チップセット２０のコア回路（core logic）２１の内部参考電圧はマザーボードがディスプレイカード２２上に提供した出入力供給電圧を起源にして、グラフィック加速ポート２４の一個のピン２５によりコア回路２１へ提供する。ディスプレイカード２２上のグラフィックチップ２３は、同様に参考マザーボードにより提供の出入力供給電圧の電圧で、グラフィック加速ポート２４のもう一つのピン２６を経過後、参考電圧の起源にする。そのうち、グラフィックチップ２３とコア回路２１が使用の電圧はいずれも参考出入力供給電圧の電圧である。そのため電圧が不安定の状況を発生する時、グラフィックチップ２３とチップセット２０のコア回路２１の内部参考電圧は連動してジャンプするため、グラフィックチップ２３とコア回路２１の参考電圧の電圧差は変化が無く、そのためグラフィックチップ２３とコア回路２１のデータ判断結果に影響を与えない。
【０００５】
図３に示すように、全てのコンピューターが四倍エッジ・クロックのグラフィック加速ポートの動作モードを使用するわけではないため、多くのチップセットはグラフィック加速ポートの異なるモード上で操作できるように製作される。そのうちチップセット３０上のコア回路３１は二つのピンを有して、内部参考電圧源に接続する。一つのピンをマザーボード３６に接続して、グラフィック加速ポート３４でシングルエッジ・クロックとダブルエッジ・クロック動作時、マザーボードから内部参考電圧を得る。もう一つのピンをグラフィック加速ポート３４に接続して、グラフィック加速ポート３４で四倍エッジ・クロック以上のモードで動作時に内部参考電圧を得る。ただし、このような接続方法は、使用が面倒なだけでなく、チップセットのピン数を増やす必要性があった。一般に、チップセット内部のレイアウトは相当に複雑で、さらに内部参考電圧源をもう一個増加するとなると、レイアウトの問題はより複雑になる。
【０００６】
【発明が解決しようとする課題】
この発明の第一の目的は、唯一のグラフィックインターフェイス参考電圧ピンを有するチップセットを提供することである。それは一個の比較回路を含み、出入力供給電圧と一個の判定モード参考電圧の大きさを比較して、比較結果により一個のモード信号を発生する。一個のマルチプレクサ（multiplexer）を、比較回路（comparator）とグラフィック加速ポートに接続して、比較回路で発生のモード信号により内部参考電圧を出力する。内部参考電圧は、出入力供給電圧を起源とする精確電圧か、ディスプレイカードがグラフィック加速ポートにより提供するグラフィックインターフェイス参考電圧の二つの中の一つである。コア回路は、マルチプレクサに接続して、並びにマルチプレクサが出力の内部参考電圧でグラフィック加速ポートのインターフェイス信号の入力感知電圧レベルを判断する。
【０００７】
この発明の第二の目的は、マザーボードのシステムを提供することである。マザーボードとグラフィック加速ポートをマルチプレクサに接続して、グラフィック加速ポートは２本のピンでマルチプレクサに接続する。１本のピンをグラフィックインターフェイス参考電圧に使い、もう１本のピンをモード信号に提供し、モード信号によりマルチプレクサは出力の内部参考電圧を調整して、精確電圧とグラフィックインターフェイス参考電圧の中の二つから一つを選択する。
【０００８】
【課題を解決するための手段】
ディスプレイカード上に装着して、ディスプレイカードが出入力供給電圧により、グラフィックインターフェイス参考電圧を提供するグラフィックチップと、ディスプレイカードに接続してモード信号を提供して、グラフィックインターフェイス参考電圧を伝送するグラフィック加速ポートと、そして、グラフィック加速ポートに接続して、グラフィック加速システムを制御する、唯一のグラフィックインターフェイス参考電圧ピンを有するチップセットを含む。そのうちチップセットが、出入力供給電圧と判定モード参考電圧によりモード信号を発生する比較回路と、比較回路と唯一のグラフィックインターフェイス参考電圧ピンに接続して、モード信号により出入力供給電圧を起源とする精確電圧とグラフィックインターフェイス参考電圧の中の二つから一つを選び、内部参考電圧を出力するマルチプレクサと、マルチプレクサに接続して、内部参考電圧でグラフィック加速ポートのインターフェイス信号の入力感知電圧レベルを判断するコア回路でグラフィック加速システムを構成する。
【０００９】
【発明の実施の形態】
以下、この発明にかかる好適な実施例を図面に基づいて説明する。図４に示すように、チップセット４０は一個の比較回路４７を含む。比較回路４７は二個の入力端子を有し、一端子は出入力供給電圧を受け取ることができて、もう一つの端子は判定モード参考電圧４９に接続する。出力端子をマルチプレクサ４８に接続して、モード信号を出力する。この実施例では、判定モード参考電圧４９は２．２ボルトである。もし出入力供給電圧がシングルエッジ・クロック或いはダブルエッジ・クロック動作モードで、使用しているのが３．３ボルトで判定モード参考電圧より大きいなら、比較回路がマルチプレクサ４８に出力するモード信号はハイ（high）である。反対にもし出入力供給電圧が１．５ボルトで、判定モード参考電圧より低いならロウ（low）である。
【００１０】
マルチプレクサ４８は複数個の入力端子から一つを選択して出力する。この発明で、マルチプレクサ４８の一個の入力端子は精確電圧発生回路５１が発生する出入力供給電圧を起源とする精確電圧を受け取り、マルチプレクサ４８のもう一個の入力端子を、チップセット４０の唯一のグラフィックインターフェイス参考電圧ピン５２に接続する。唯一のグラフィックインターフェイス参考電圧ピン５２をグラフィック加速ポート４４に接続して、ディスプレイカード４２がグラフィック加速ポート４４を通して提供のグラフィックインターフェイス参考電圧を受け取る。この実施例で、もし比較回路４７が出力のモード信号がハイだと、グラフィック加速ポート４４がシングルエッジ・クロック或いはダブルエッジ・クロック・モード下で動作して、マルチプレクサ４８は出入力供給電圧を起源とする精確電圧を内部参考電圧にして出力する。もし比較回路４７出力のモード信号がロウで、グラフィック加速ポートが四倍エッジ・クロック・モードだと、マルチプレクサ４８はグラフィック加速ポート４４が提供のグラフィックインターフェイス参考電圧を内部参考電圧にして、コア回路４１まで出力する。
【００１１】
その中、内部参考電圧の変換は四倍エッジ・クロック以上のモードで、ディスプレイカード４２が提供のグラフィックインターフェイス参考電圧は、グラフィック加速ポート４４の一個ピン４５を通して伝送する。グラフィックチップ４３使用の参考電圧はマザーボード５０により提供される。これはデータ処理の安定度を高めるためである。そのうち、ピン４６およびピン４５は、グラフィック加速ポート四倍エッジ・クロックのプロトコルに基づいて配置されるものである。ただし、グラフィック加速ポートのプロトコル中では、シングルエッジ・クロックおよびダブルエッジ・クロックの状況下、この二本のピンの用途は無作用（reserved）（参考電圧に対して変更を加えない）で、これはシングルエッジ・クロックおよびダブルエッジ・クロックのモード下、コア回路４１のグラフィックインターフェイス参考電圧は同様にグラフィック加速ポート４４により得ることはできない。
【００１２】
図５に示すように、グラフィックチップ６３の参考電圧は同様にマザーボード７０からグラフィック加速ポート６４のピン６６を通して提供される。もしグラフィック加速ポート６４が四倍速モードだとすると、唯一のグラフィックインターフェイス参考電圧ピンを有するチップセット６０のグラフィックインターフェイス参考電圧は、ディスプレイカード６２からグラフィック加速ポート６４のピン６５を通して提供される。
【００１３】
この実施例では、モード信号は比較回路ではなくグラフィック加速ポート６４のピン６７により発生する。そのうち、ピン６７はモード検出（TYPEDET#）ピンである。マルチプレクサ６８は受け取ったモード信号により、内部参考電圧を出力する。もしピン６７が送り出す信号モードがハイだとすると、マルチプレクサ６８は精確電圧発生回路７１により出力して発生した、参考マザーボード７０の出入力供給電圧を起源とする精確電圧を内部参考電圧とする。もしピン６７が出力のモード信号がロウだとすると、マルチプレクサ６８はグラフィック加速ポート６４のピン６５から出力して伝送するグラフィックインターフェイス参考電圧を内部参考電圧にする。マルチプレクサ６８が提供の内部参考電圧は、唯一のグラフィックインターフェイス参考電圧ピン７２からコア回路６１に伝送され、内部参考電圧を取得して、並びに其れはグラフィック加速ポートのインターフェイス信号の入力感知電圧レベルを判断する。
【００１４】
以上のごとく、この発明を好適な実施例により開示したが、もとより、この発明を限定するためのものではなく、当業者であれば容易に理解できるように、この発明の技術思想の範囲において、適当な変更ならびに修正が当然なされうるものであるから、その特許権保護の範囲は、特許請求の範囲および、それと均等な領域を基準として定めなければならない。
【００１５】
【発明の効果】
上記構成により、この発明は下記の優れた点を有す。この発明の唯一のグラフィックインターフェイス参考電圧ピンを有するチップセットは、唯一のグラフィックインターフェイス参考電圧ピンだけで、グラフィックインターフェイス参考電圧を受け取ることにより、グラフィック加速ポートの異なるモードのチップセットのレイアウトの複雑度を下げる。同時にピン使用を減少することにより、コスト削減を達成することができる。従って、産業上の利用価値が高い。
【図面の簡単な説明】
【図１】  図１は、従来技術にかかる、グラフィック加速ポートが、シングルエッジ・クロック・モード或いはダブルエッジ・クロック・モード動作時での、グラフィック加速システムの参考電圧の回路図である。
【図２】  図２は、従来技術にかかる、グラフィック加速ポートが四倍エッジ・クロック以上のモード動作時、グラフィック加速システムの参考電圧の回路図である。
【図３】  図３は、従来技術にかかる、グラフィック加速ポートのシングル、ダブルおよび四倍エッジ・クロック・モード下でいずれも使用することが可能なグラフィック加速システムの参考電圧の回路図である。
【図４】  図４は、この発明にかかる、実施例の唯一のグラフィックインターフェイス参考電圧ピンを有するチップセットのグラフィック加速システムの参考電圧回路図である。
【図５】  図５は、この発明にかかる、もう一つの実施例の唯一のグラフィックインターフェイス参考電圧ピンを有するチップセットのグラフィック加速システムの参考電圧回路図である。
【符号の説明】
１０    チップセット
２０    チップセット
３０    チップセット
４０    チップセット
６０    チップセット
２１    コア回路
３１    コア回路
４１    コア回路
６１    コア回路
２２    ディスプレイカード
３２    ディスプレイカード
４２    ディスプレイカード
６２    ディスプレイカード
２３    グラフィックチップ
３３    グラフィックチップ
４３    グラフィックチップ
６３    グラフィックチップ
２４    グラフィック加速ポート
３４    グラフィック加速ポート
４４    グラフィック加速ポート
６４    グラフィック加速ポート
２５    ピン
３５    ピン
４５    ピン
６５    ピン
２６    ピン
４６    ピン
６６    ピン
３６    マザーボード
５０    マザーボード
７０    マザーボード
４７    比較回路
４８    マルチプレクサ
６８    マルチプレクサ
４９    判定モード参考電圧
５１    精確電圧発生回路
７１    精確電圧発生回路
５２    唯一のグラフィックインターフェイス参考電圧ピン
６７    ピン
７２    唯一のグラフィックインターフェイス参考電圧ピン
【図１】
0004842418.tif 000002
【図２】
0004842418.tif 000003
【図３】
0004842418.tif 000004
【図４】
0004842418.tif 000005
【図５】
0004842418.tif 000006